(57)【特許請求の範囲】
【請求項１】
装着された光ディスクの種類及び記録の可否を判別するためのディスク判別部と、
該ディスク判別部の判別結果に応じて、該光ディスクに記録されている画像データや管理情報などの各種情報を再生処理するための再生処理部と、
該再生処理部で再生処理された画像データや管理情報などの各種情報からサムネイル画像のデータを抽出し、サムネイル画像一覧表示用のサムネイル画面データを作成するサムネイル画面データ生成部と、
該サムネイル画面データ生成部からの該サムネイル画面データをアナログ映像信号へ変換し、各種の信号処理をしてサムネイル画像一覧の画面を作成する映像信号処理部と
を備え、
該ディスク判別部によって装着された光ディスクがファイナライズ処理済みのライトワンス型光ディスクであると判別されたときには、自動的に記録不可のための警告表示として、該サムネイル画像一覧を表示し、該ファイナライズ処理済みのライトワンス型光ディスクを再生可能なモードにすることを特徴とする光ディスク記録再生カメラ。
【発明の詳細な説明】
【０００１】
【発明の属する技術分野】
本発明は、装着された光ディスクに画像データを記録し、これを再生することができるようにした光ディスク記録再生カメラに係り、特に、ファイナライズ処理済みのライトワンス型光ディスクを装着した際に警告表示を行なう光ディスク記録再生カメラに関する。
【０００２】
【従来の技術】
近年、ＤＶＤ−ＲＡＭなどの光ディスクを用いた記録再生装置が登場してきており、注目を集めている。この光ディスクの規格には、ＤＶＤ−ＲＡＭに代表されるような記録された情報の書き換えが可能なリライタブル型と、ＤＶＤ−Ｒに代表されるような一度記録された情報の書き換えが困難なライトワンス型とがある。
【０００３】
リライタブル型記録媒体の代表であるＤＶＤ−ＲＡＭは、録画と消去を繰り返し行なうことができるが、ライトワンス型記録媒体の代表であるＤＶＤ−Ｒは、一度録画した映像を消すことは難しいという特徴がある。また、リライタブル型のＤＶＤ−ＲＡＭは、対応した再生装置でないと、再生することができないが、ライトワンス型のＤＶＤ−Ｒは、ファイナライズ処理と呼ばれる書込終端処理を行なうことにより、広く普及しているＤＶＤプレーヤ（再生装置）で再生が可能になる特徴がある。このため、ＤＶＤ−ＲＡＭだけでなく、ＤＶＤ−Ｒにも記録ができるようにした記録再生装置が増えてきており、その中でも、光ディスクを記録媒体として静止画像や動画像を記録，再生する光ディスク記録再生カメラが、近年、大きな注目を集めている。
【０００４】
しかしながら、ライトワンス型の光ディスクにファイナライズ処理を施すと、その光ディスクには、追記ができなくなるため、ファイナライズ処理済みの光ディスクが装着されている場合には、記録できないことをユーザに警告する必要がある。以下、これを記録不可のための警告表示という。
【０００５】
従来の光ディスク記録再生カメラでは、ファイナライズ処理済みの光ディスクが装着されたときには、記録釦が押されると、撮影される画像が表示されるスルー画にスーパーインポーズを用いて“このディスクには記録できません”などの警告表示をしている。この一例としては、特開２０００−２３０７８に記載のものが挙げられるが、これは、電子カメラなどにおいて、記録媒体に画像を記録することができない状態で記録動作を行なわせようとすることによる画像の記録失敗を防止することを目的としたものである。記録媒体への記録不可の警告表示方法としては、スルー画像へのスーパーインポーズによる警告に加え、ユーザ操作によって入力されて所定の処理が施された画像とともに特定の画像を用いることにより、記録媒体の記録不可のための警告表示を行なっている。
【０００６】
【発明が解決しようとする課題】
ビデオカメラにおいては、記録のチャンスを逃がさないことが大切であり、装着した記録媒体が記録不可である場合には、記録できないことが明確かつ直ぐにユーザにわかるようにすることが、特に、重要である。
【０００７】
しかしながら、上記従来技術では、記録媒体の装着後において、撮像素子からの撮影映像を表示しているスルー画に警告のためのメッセージをスーパーインポーズして表示する方法が採られているため、表示画面には、撮像素子からの撮影映像も表示されていることになり、このように撮影映像が表示されていると、ユーザには記録可能であるようにも見え、記録不可であることの視認性が悪いという問題があった。
【０００８】
さらには、ユーザが記録釦を押すなどの所定の操作をするまでは、装着された記録媒体が記録不可であることが判らないため、記録のチャンスを逃がしてしまう場合があるという問題点もあった。即ち、記録しようとして初めて記録できないことがわかったのでは、記録のチャンスを逃がしてしまうことになる。
【０００９】
本発明の目的は、かかる問題を解消するために、光ディスクを記録媒体にした光ディスク記録再生カメラにファイナライズ処理済みのライトワンス型の光ディスクを装着した場合には、装着した光ディスクがファイナライズ処理済みであるため記録できないことをユーザにいち早く警告し、さらに再生操作も容易となり、ユーザの利便性が著しく向上した光ディスク記録再生カメラを提供することにある。
【００１０】
【課題を解決するための手段】
上記目的を達成するために、本発明は、着脱自在の光ディスクに記録されている画像データや管理情報などの各種情報を再生処理するための再生処理部と、光ディスクの種類及び記録可否を判別するためのディスク判別部とを備え、光ディスクが装着されたときには、ディスク判別部により、光ディスクの種類及び記録可否の判別を行ない、記録不可の光ディスクと判別された場合には、自動的に記録不可のための警告表示を行なうものである。
【００１１】
また、装着された光ディスクがファイナライズ処理済みのライトワンス型光ディスクの場合には、記録不可のための警告表示を行なうものである。
【００１２】
さらには、再生処理部で再生処理された画像データや管理情報などの各種情報により、サムネイル画像一覧表示用のサムネイル画像データを抽出し、作成するサムネイル画面データ生成部と、このサムネイル画面データ生成部からのサムネイル画面データをアナログの映像信号へ変換し、各種の信号処理をする映像信号処理部とを設け、記録不可のための警告表示として、少なくともサムネイル画面データからのサムネイル画像一覧を表示するものである。
【００１３】
これにより、ファイナライズ処理済みライトワンス型光ディスクの装着直後に、ユーザに対して再生モードを示すナビ画面が自動的に表示され、装着した光ディスクが記録不可能なファイナライズ処理済みライトワンス型光ディスクであることとユーザに、ディスク装着直後、確実に理解させることができる。
【００１４】
さらには、ディスク判別部によって判別した光ディスクの種類の表示を、上記の記録不可のための警告表示と同時に、行なうようにするものである。
【００１５】
これにより、装着された光ディスクの種類に応じてその表示が変わるので、ファイナライズ処理済みの光ディスクが装着されたときの視認性が改善される。
【００１６】
以上のように、本発明では、ファイナライズ処理済みのライトワンス型光ディスクの装着直後に、この光ディスクに記録された画像の代表的な場面の縮小画であるサムネイル画像の一覧表示と同時に、ディスク種別をナビ画面として自動的に表示するものであるから、記録不可の光ディスクを装着していることをユーザは直感的に理解でき、また、ナビ画面の表示により、光ディスクの記録内容の確認を容易に行なうことができ、ファイナライズ処理済みの光ディスクの装着時の操作性が改善される。
【００１７】
【発明の実施の形態】
以下、本発明の実施形態を図面を用いて説明する。
図１は本発明による光ディスク記録再生カメラの一実施形態を示す構成図であって、１は撮像素子、２は映像信号処理部、３はデジタル映像圧縮部、４は記録処理部、５は入力部、６は制御部、７はディスク判別部、８は外部記録媒体、９は再生処理部、１０はサムネイル画面データ生成部、１１はデジタル映像伸長部、１２は映像信号データ処理部、１３は表示部、１４はスイッチである。
【００１８】
この実施形態では、外部記録媒体として、リライタブル型の光ディスクであるＤＶＤ−ＲＡＭと、ライトワンス型の光ディスクであるＤＶＤ-Ｒとの両方を記録再生可能とし、また、再生専用光ディスクであるＤＶＤビデオの再生も可能とするものであって、かかる外部記録媒体を、以下、光ディスクと称することにする。また、この実施形態による光ディスク記録再生カメラを、以下、単に本カメラといい、さらに、この実施形態では、後述するサムネイル画像を一覧表示及び各種情報を表示する画面をナビ画面ということにする。
【００１９】
図１において、入力部５は外部記録媒体である光ディスクの記録，再生や各種入力操作の際に使用する操作釦などを有しており、電源が投入されたときには、撮像素子１からの映像信号は、映像信号処理部２でデジタル信号に変換するとともに各種の信号処理がなされ、デジタル映像圧縮部３で処理されてデジタル映像信号の圧縮データが生成される。この圧縮データや各種のデータは、記録処理部４で記録するための処理がなされた後、通常閉じているスイッチ１４を介して再生処理部９に供給される。再生処理部９で処理された圧縮データは、デジタル映像伸長部１１でデジタル映像信号に伸長され、映像信号処理部１２でアナログ変換されるとともに各種の信号処理がなされて表示部１３に供給され、この表示部１３に撮像素子１の撮影画像、即ち、スルー画像が表示される。このとき、外部記録媒体として、記録可能な光ディスク８が装着され、入力部５によって記録操作が行なわれているときには、記録処理部４からの圧縮データはこの光ディスク８にも供給され、この光ディスク８に記録される。
【００２０】
入力部５で再生操作がなされたときには、制御部６によってスイッチ１４が開き、また、この制御部６の制御のもとに、光ディスク８の再生が行なわれる。光ディスク８から再生された圧縮データは、上記と同様にして、再生処理部９，デジタル映像伸長部１１及び映像信号処理部１２で処理された後、表示部１３に供給されて再生画面が表示される。
【００２１】
制御部６には、ディスク判別部７が設けられており、装着された光ディスク８の種類及びこの光ディスク８がファイナライズ処理済みかどうかの判別が行なわれる。この判別によって光ディスク８がファイナライズ処理済みあるいはＤＶＤビデオのような記録不可のディスクである場合には、制御部６の制御のもとに、スイッチ１４が開くとともに、この光ディスク８から画像データや各種認識情報，管理情報などが再生処理部９に再生され、サムネイル画面データ生成部１０で再生処理部９で得られた画像データまたは各種認識情報からサムネイル画像のデータが抽出され、サムネイル画像一覧表示用のサムネイル画像データが作成される。このサムネイル画像データは映像信号データ処理部１２に供給されてアナログ変換されるとともに、各種の信号処理がなされてサムネイル画像一覧表示用のナビ画面が形成され、表示部１３に供給される。これにより、記録不可の光ディスク８が装着されたときには、サムネイル画像一覧表示用のナビ画面が表示される。なお、表示部１３は、本カメラと一体のものでもよいし、外部の表示装置でも構わない。
【００２２】
ここで、この実施形態でのファイナライズ処理済みＤＶＤ−Ｒディスクの装着からナビ画面表示までの処理の流れを説明する。
【００２３】
外部記録媒体として光ディスク８が装着されると、ディスク判別部７でこの光ディ８スクの種類及びファイナライズ処理済みかどうかの判別が行なわれる。なお、ディスクの種類判別の処理の概要に関しては、後に説明する。この判別結果がファイナライズ処理済みＤＶＤ−Ｒディスクである場合には、制御部６の制御により、再生処理部９を経由して光ディスク８の管理情報領域から画像オブジェクト（即ち、記録された各撮影シーン）のデータの光ディスク８上の記録位置を示す位置情報が読み取られ、これに基づいて対象となる画像オブジェクトが再生され、サムネイル画面データ生成部１０により、各画像オブジェクト毎にその先頭の画像を抽出する動作を行なうことにより、サムネイル画像一覧表示用のサムネイル画面データが生成される。なお、本カメラによる記録またはファイナライズ処理であることを認識するための認識情報領域からの情報により、サムネイル画面データを生成するようにしてもよい。
【００２４】
その後、生成されたサムネイル画面データは、映像データ処理部１２により、アナログ変換されるとともにディスク種別などの各種情報が加えられ、表示部１３でに供給されてナビ画面として表示される。
【００２５】
なお、その後、入力部５のカーソル釦や再生釦などの各種釦の操作して、表示されるナビ画面から光ディスク８中の希望の映像を指定することにより、希望する画像オブジェクトの映像の再生ができる。
【００２６】
次に、上記の認識情報について説明する。
【００２７】
この実施形態では、ＤＶＤ−Ｒに撮影したシーンを画像オブジェクトとして記録を行なう際、そのシーンを記録する度に、制御部６の制御のもとに、そのシーンに関する情報を記録処理部４によって光ディスク８に記録している。そして、光ディスク８にファイナライズ処理を実行する際には、これらシーン毎の情報をまとめ、これを光ディスク８の認識情報として光ディスク８上の所定の領域に記録している。この認識情報を検知することにより、光ディスク８の種類がファイナライズ処理済みのＤＶＤ−Ｒと判別できる。
【００２８】
また、この認識情報から各シーンに関連する情報を得ることができるので、これを用いてサムネイル画面データを作成することができ、サムネイル画面データの生成時間を短縮することも可能である。例えば、光ディスク８上の所定の領域にある認識情報にサムネイル画像用のデータがある場合には、制御部６の制御により、サムネイル画像用のデータを再生処理部９を経由してサムネイル画面データ生成部１０に取り込み、サムネイル画面データを生成するようにしてもよい。
【００２９】
次に、図２により、光ディスクを装着したときのこの実施形態での処理動作の流れについて説明する。
【００３０】
光ディスク８が装着されると（ステップ２０１）、まず、装着された光ディスク８の種類がＤＶＤ−ＲまたはＤＶＤビデオであるか、あるいはＤＶＤ−ＲＡＭであるかを判別し（ステップ２０２）、ＤＶＤ−ＲまたはＤＶＤビデオである場合には、ファイナライズ処理が施されているかの判別を行ない（ステップ２０３）、ＤＶＤ−ＲＡＭと判別された場合には、ステップ２０８へ進む。
【００３１】
ステップ２０３でファイナライズ処理済みと判別された場合には、書き込み不可能な光ディスクであるＤＶＤビデオと認識され、光ディスク８上の認識情報の有無を調べる（ステップ２０４）。ここで、未ファイナライズ処理と判別された場合には、記録可能なＤＶＤ−Ｒと認識され、ステップ２０８に進む。
【００３２】
ステップ２０４で光ディスク８上に認識情報が記録されていると判定された場合には、光ディスク８上の認識情報または管理情報からサムネイル画像一覧表示用のサムネイル画面データの生成を行なう。また、この光ディスク８に認識情報が記録されている場合には、その光ディスク８が本カメラで記録、ファイナライズ処理された光ディスクであるということがわかるため、この光ディスク８の種類がファイナライズ処理済みのＤＶＤ−Ｒと判別できる（ステップ２０５）。そして、ナビ画面でサムネイル画像の一覧を表示するとともに、この光ディスク８の種類も表示する（ステップ２０７）。この表示により、装着した光ディスク８の種類が記録不可能なファイナライズ処理済みＤＶＤ−Ｒであることをユーザに示すことができる。
【００３３】
ステップ２０４で認識情報なしと判別された場合（かかる光ディスク８は、例えば、ＤＶＤビデオディスクまたは他の装置で記録、ファイナライズ処理されたＤＶＤ−Ｒディスクなどである）には、光ディスク８の管理情報領域から各画像オブジェクトデータの光ディスク８上の位置を示す位置情報を読み取り、これをもとに対象の画像オブジェクトを再生し、サムネイル画面データ生成部１０により、各画像オブジェクトの先頭の画像を抽出する動作を対象とする各画像オブジェクト毎に繰り返し、これにより、サムネイル画像一覧表示用のサムネイル画面データを生成する（ステップ２０６）。即ち、光ディスク８に記録されているシーン情報を１つずつ読み込んで行き、所定のシーン情報を読み込むことにより、サムネイル画面データを生成する。そして、ナビ画面でサムネイル画像の一覧を表示するとともに、光ディスクの種類も表示する（ステップ２０７）。このとき、光ディスク種類の表記は認識情報ありの場合とは異なる表示を行ない、光ディスクの種類を区別できるようにしている。
【００３４】
次に、ステップ２０２でＤＶＤ−ＲＡＭと判別された場合、または、ステップ２０３で未ファイナライズ処理のＤＶＤ−Ｒと判別された場合には、この光ディスク８に記録可能時間などのディスク残量の確認を行なう（ステップ２０８）。ディスク残量があると判別された場合には、その光ディスク８は記録可能であるので、撮像素子１からの撮像画像であるスルー画に所定の情報を表示して記録一時停止状態とし、記録操作を待つ（ステップ２０９）。ステップ２０８でディスク残量がないと判別された場合には、スルー画に残量なしのための警告表示を行なう（ステップ２１０）。
【００３５】
次に、装着された光ディスク８の種類に応じて上記の表示画面の具体例について図３〜図６を用いて説明する。
【００３６】
図３はファイナライズ処理済みのＤＶＤ−Ｒが装着されたときに自動的に表示部１３（図１）に表示されるナビ画面の一具体例を示す図であって、３１はナビ画面、３２は現在の表示内容の表示領域、３３はサムネイル画像、３４は選択しているサムネイル画像を示すカーソル、３５は装着されている光ディスク８の種類を示す画像、３６は再生マークである。
【００３７】
ファイナライズ処理済みのＤＶＤ−Ｒが装着され、これに伴って直ちに図２のステップ２０４の判別結果でファイナライズ処理済みのＤＶＤ−Ｒが装着されたことが判別されると、図３に示すナビ画面３１が表示される。このナビ画面３１には、表示領域３２に現在の表示内容が表示される。光ディスク８としてのＤＶＤ−Ｒに記録されている画像オブジェクトのサムネイル画像３３とこの光ディスク８の種類であるファイナライズ処理済みのＤＶＤ−Ｒを示す情報３５が「Ｆ」として表示される。ここでは、画像Ａ〜Ｌの１２個のサムネイル画像３３が表示されているものとし、画像Ａにカーソル３４が付された状態にあるものとする。
【００３８】
かかるカーソル３４は入力部５（図１）での操作によって移動可能であり、これによってカーソル３４を所定のサムネイル画像３３に一致させて指定し、入力部５で再生操作をすることにより、指定されたサムネイル画像３３に対応した画像オブジェクトを再生して表示部１３（図１）で表示させることができる。このとき、ナビ画面３１には、再生状態を示す再生マーク３６が表示される。これと情報３５とにより、表示部１３での表示画面がファイナライズ処理済みのＤＶＤ−Ｒの再生画面であることが明確にわかることになる。
【００３９】
図４は記録可能なＤＶＤ−Ｒが装着されたときに自動的に表示部１３に表示される画面の一具体例を示す図であって、４０はスルー画、４１は記録モードを表わす画像、４２は動作状態を表わす画像、４３はディスク残量時間を表わすメッセージ、４４はバッテリ残量を示す画像、４５は光ディスク８の種類を表わす画像である。
【００４０】
同図において、未ファイナライズ処理の記録可能なＤＶＤ−Ｒが装着され、これに伴って直ちに図２のステップ２０３の判別結果で未ファイナライズ処理のＤＶＤ−Ｒが装着されたことが判別されると、本カメラは、直ちに記録開始できるように、記録一時停止状態に設定され、表示部１３には、スルー画４０が表示される。また、撮影の際に重要となる記録モードを表わす画像４１や動作状態（この場合、記録一時停止状態）を表わす画像４２，ディスク残量時間を表わすメッセージ（この場合、残量３０分）４３，バッテリ残量を表わす画像４４などが表示され、また、ディスクの種類（この場合、記録可能なＤＶＤ−Ｒ）を表わす画像４５も表示されており、かかる画像４５が「Ｒ」と表示されていることにより、記録可能なＤＶＤ−Ｒが装着されていることになり、装着されている光ディスク８の種別が一目でわかるようになっている。
【００４１】
ＤＶＤ−Ｒの記録可否による表示画面の違いを比べると、記録不可のＤＶＤ−Ｒである場合には、図３に示すナビ画面３１を表示しており、このナビ画面３１は、サムネイル画像３３をカーソル３４で選択，決定の操作をすることにより、再生を素早く行なえるという特徴がある。このため、ユーザに対して再生モードの意味を示す。従って、ディスク装着の直後にナビ画面が自動的に表示されることにより、装着された光ディスク８は再生用の光ディスクであって、記録不可であることをユーザは直感的に理解できる。これに対し、図４の記録可能な光ディスクが装着された場合には、実際に記録する場面である撮影映像のスルー画４０が表示され、しかも、このとき、本カメラは記録一時停止状態となっているために、ユーザは記録モードであることが直感的にわかる。また、記録不可，記録可能のいずれの場合においても、ディスクの種別を表わす画像３５，４５が一目でわかるように表示されており、また、未ファイナライズ処理からファイナライズ処理済みに変わるときには、マークが「Ｒ」から「Ｆ」へとディスク種別の表示が変化するため、ユーザはファイナライズ処理済みのディスクかどうかの判別が瞬時に行なえる。
【００４２】
また、図２のステップ２０４で認識情報が存在しないと判別された記録不可の光ディスク８の場合には、表示部１３に図５に示すようなナビ画面３１が表示される。ここで、５５はディスクマークであり、図３に対応する部分には同一符号を付けて重複する説明を省略する。
【００４３】
かかる光ディスク８は、ＤＶＤビデオなどのように、本カメラ以外の装置で記録，ファイナライズ処理されたディスクであり、ファイナライズ処理済みであるからことから、記録することができない光ディスクとなる。従って、ナビ画３１を表示して、ユーザに装着した光ディスク８が記録不可であることを示す。ディスク種別に関しては、「Ｆ」の代わりに、ディスクマーク５５を表示し、その装置で記録，ファイナライズ処理された光ディスクであることの判別が容易に行なえるようにしている。
【００４４】
さらに、図２でのステップ２０８でディスク残量がないと判別された記録可能な光ディスク８に対しては、図６に示すように、例えば、「ディスク残量が不足しているため、記録できません」などといった警告メッセージ６３を示す画面を表示部１３に表示し、ユーザにこの旨を知らせるようにする。書き替え可能なリライタブル型光ディスクであるＤＶＤ−ＲＡＭに関しては、不要な記録シーンを削除してディスク残量を確保することにより、記録が行なえるようになる。なお、ＤＶＤ−Ｒに関しては、ディスク残量が不足している場合、ディスクの交換を行なう必要がある。
【００４５】
この実施形態の以上の説明では、本カメラに電源が入っているときに光ディスク８を装着した場合のものであったが、電源が入っていないときに光ディスク８を装着した場合には、本カメラの電源を自動的に立ち上げてから装着された光ディスク８の判別や警告表示などを行なうようにしてもよい。図２のステップ２０１，２０２間に本カメラの電源を立ち上げる処理を追加することにより、これを実現できる。
【００４６】
また、この実施形態では、記録不可の光ディスク８をファイナライズ処理済みのライトワンス型光ディスクをとして説明したが、これに限るものではなく、例えば、ライトプロテクトが施された光ディスクなどでも構わない。
【００４７】
さらに、この実施形態では、光ディスク８を装着した直後にナビ画面にサムネイル画像一覧と光ディスク種別の情報を自動的に表示することにより、記録不可であることを警告するようにしたが、表示する内容については、これに限るものではないことは言うまでもない。例えば、ナビ画面と同時に警告するための文字情報を表示しても構わない。
【００４８】
さらにまた、この実施形態についての上記処理動作の流れ及び処理方法は、単なる一例を示すものであって、処理の順序及び処理方法などはこれに限るものではなく、他の順序及び処理方法であっても構わない。
【００４９】
さらにまた、この実施形態では、使用される光ディスクをＤＶＤ−ＲＡＭ，ＤＶＤ−Ｒ及びＤＶＤビデオとしたが、これに限るものではなく、例えば、ＤＶＤ−ＲＷ，ＣＤ−Ｒ，ＣＤ-ＲＷなどの他の種類の光ディスクでも構わない。
【００５０】
【発明の効果】
以上説明したように、本発明によれば、ファイナライズ済みのライトワンス型光ディスクの装着直後に、その記録内容を示すサムネイル画像とディスクの種類を自動的に表示するものであるから、画像による内容の確認とディスクの記録可否の判別が迅速かつ確実に可能となる。
【図面の簡単な説明】
【図１】本発明による光ディスク記録再生カメラの一実施形態を示す構成図である。
【図２】図１に示した実施形態の光ディスク装着時のディスク判別とその処理動作の流れの一具体例を示すフローチャートである。
【図３】図１に示した実施形態でのファイナライズ処理済みのＤＶＤ−Ｒが装着された直後に表示される画面の一具体例を示す図である。
【図４】図１に示した実施形態での記録可能なＤＶＤ−Ｒが装着された直後に表示される画面の一具体例を示す図である。
【図５】図１に示した実施形態でのＤＶＤビデオや本機以外で記録，ファイナライズ処理された光ディスクが装着された直後に表示される画面の一具体例を示す図である。
【図６】図１に示した実施形態での残量不足の光ディスクが装着された直後に表示される画面の一具体例を示す図である。
【符号の説明】
１  撮像素子
２  映像信号処理部
３  デジタル映像圧縮部
４  記録処理部
５  入力部
６  制御部
７  ディスク判別部
８  外部記録媒体
９  再生処理部
１０  サムネイル画面データ生成部
１１  デジタル映像伸長部
１２  映像信号データ処理部
１３  表示部
３１  画面全体
３２  現在の内容の表示
３３  サムネイル画像
３４  カーソル位置表示
３５  光ディスクの種類表示
４０  スルー画
４１  記録モード
４２  記録状態
４３  ディスク残量
４４  バッテリ残量
４５，５５  光ディスクの種類表示
６３  ディスク残量不足警告表示
６５  光ディスクの種類表示
【図１】
0004040890.tif 000002
【図２】
0004040890.tif 000003
【図３】
0004040890.tif 000004
【図４】
0004040890.tif 000005
【図５】
0004040890.tif 000006
【図６】
0004040890.tif 000007